(57)【特許請求の範囲】
【請求項１】
垂直方向の上下に配列した第１の収納部と第２の収納部とを、それらの間の回転支点まわりに同期回動させて、回転支点の水平移動を伴い第１の収納部を第２の収納部の元の配列位置に移動させるのに連動して、第２の収納部を第１の収納部の元の配列位置に移動させることにより、第１の収納部および第２の収納部の配列位置を上下入れ換えられるように左右で支持し、互いを連動させた上下入れ換え収納部を、垂直方向の上下に２組以上配列したことを特徴とする昇降収納装置。
【請求項２】
垂直方向の上下に配列した第１の収納部と第２の収納部とを、それらの間の回転支点まわりに同期回動させて、回転支点の水平移動を伴い第１の収納部を第２の収納部の元の配列位置に移動させるのに連動して、第２の収納部を第１の収納部の元の配列位置に移動させることにより、第１の収納部および第２の収納部の配列位置を上下入れ換えられるように左右で支持し、互いを連動させた上下入れ換え収納部を、床から天井までの高さにほぼ一致する高さになるように、垂直方向の上下に２組配列したことを特徴とする昇降収納装置。
【請求項３】
上下の各上下入れ換え収納部はキャビネットに収容されており、キャビネットの開口の、上部の上下入れ換え収納部の上部に位置する収納部と、下部の上下入れ換え収納部の下部に位置する収納部とに対応する範囲には扉を設け、他の範囲は扉を設けない開放部としてある請求項２に記載の昇降収納装置。
【発明の詳細な説明】
【０００１】
【発明の属する技術分野】
本発明は、上下に配列した２つの収納部を必要に応じてその上下位置をそれぞれの昇降により入れ換えられる昇降収納装置に関するものである。
【０００２】
【従来の技術】
吊り戸棚は元来、デッドスペースとなり勝ちな高所空間を有効利用するのに利用されてきた。しかし、収納部が高所であるため、踏み台等を用いないと物を自由に出し入れができない。近時では、吊り戸棚などの高所に設置される収納部を昇降できるように設置し、物の出し入れは下部位置で行い、収納は上部位置で行う昇降収納装置が提案され、実用されている。
【０００３】
【発明が解決しようとする課題】
本出願人は、上記のような昇降収納装置に関連して、上下に配列した第１の収納部と第２の収納部とを、第１の収納部を第２の収納部の元の配列位置に移動させるのに併せ、第２の収納部を第１の収納部の元の配列位置に移動させることにより、第１の収納部および第２の収納部の配列位置を上下入れ換えられるように支持した上下入れ換え収納装置を先に提案している。
【０００４】
上下に配列した第１、第２の各収納部は、互いに上下入れ換えられるので、上下入れ換え収納装置を天井下に設置した場合、そのどちらも下部位置に移動させて物を出し入れしやすくできるし、床上に設置した場合、そのどちらも上部位置に移動させて物を出し入れしやすくできる。また、第１、第２の収納部は上下のどちらの位置にあっても収納状態を保ちデッドスペースとならないので、空間の利用効率は低下しない。
【０００５】
本発明の目的は、上下入れ換え収納機能をさらに便利なように組み合わせ用いた昇降収納装置を提供することにある。
【０００６】
【課題を解決するための手段】
上記のような目的を達成するために、本発明の昇降収納装置は、垂直方向の上下に配列した第１の収納部と第２の収納部とを、それらの間の回転支点まわりに同期回動させて、回転支点の水平移動を伴い第１の収納部を第２の収納部の元の配列位置に移動させるのに連動して、第２の収納部を第１の収納部の元の配列位置に移動させることにより、第１の収納部および第２の収納部の配列位置を上下入れ換えられるように左右で支持し、互いを連動させた上下入れ換え収納部を、垂直方向の上下に２組以上配列したことを１つの特徴としている。
【０００７】
このような構成では、垂直方向の上下配列位置が、それらの間の回転支点まわりの同期回動と回転支点の水平移動とを伴い互いが連動した昇降によって入れ替えられるように、左右で支持した第１の収納部と第２の収納部とを、２組上下配列した、４つ以上の収納部の上下配列にて、多くの物を区分け収納して整理、整頓するのに便利であり、しかも、最上部のものはそれの１つ下の収納部の位置に入れ換えて低くなった分だけ出し入れしやすく、最下部の収納部はそれの１つ上の収納部の位置に入れ換えて高くなった分だけ出し入れしやすくなるので、低い位置から高い位置までの大きな高さ範囲に多数の収納部を設ける場合に有効である。
【０００８】
上下入れ換え収納部を、床から天井までの高さにほぼ一致する高さとなるように、上下に２組配列すると、床から天井までの高さ範囲を利用して４つの収納部を上下に配列して設けて区分け収納に便利にしながら、中央高さ範囲に位置する上下２つの収納部が、自然に立った人が物を出し入れしやすい高さ範囲に位置し、各上下入れ換え収納部での第１、第２の収納部の上下入れ換えによって、全ての収納部を前記出し入れしやすい高さ範囲に移動させられ、そのいずれにも物を容易に出し入れすることができる。
【０００９】
この場合、上下の各上下入れ換え収納部をキャビネットに収容するのに、キャビネットの開口の、上部の上下入れ換え収納部の上部に位置する収納部と、下部の上下入れ換え収納部の下部に位置する収納部とに対応する範囲には扉を設け、他の範囲は扉を設けない開放部とすることにより、物を出し入れしやすい高さ範囲を扉のない開放部として、この高さ範囲で物の出し入れがなされるよう使用者を誘導し、また、この高さ範囲を使用頻度の高い物を収納するホームポジションにしておいたり、出し入れせずに使用する電気機器等の収納部として使用に便利である。また、使用頻度の低い収納部となる最上部と最下部の各区画範囲は扉で常時覆うことによって、収納部の全体が露出して外観が見苦しくなるようなことを回避することができ、雑然とした収納状態となる小物の収納部などに利用しても有効である。
【００１１】
本発明のそれ以上の目的および特徴は、以下の詳細な説明および図面の記載によって明らかになる。
【００１２】
【発明の実施の形態】
以下、添付図面を参照して本発明の幾つかの実施の形態についてその実施例とともに説明し、本発明の理解に供する。
【００１３】
（実施の形態１）
本実施の形態１は図７に示すように、垂直方向の上下に配列した第１の収納部６１と第２の収納部６２とを、第１の収納部６１を第２の収納部６２の元の配列位置に移動させるのに併せ、第２の収納部６２を第１の収納部６１の元の配列位置に移動させることにより、第１の収納部６１および第２の収納部６２の配列位置を上下入れ換えられるように昇降機構６６により左右で支持し、互いを連動させた上下入れ換え収納部１０１を備え、この上下入れ換え収納部１０１を図１、図２に示す実施例、図１０に示す実施例、図１１に示す実施例のように垂直方向の上下に２組配列し、あるいは必要に応じてそれ以上配列する。
【００１４】
このようにすると、上下入れ換え収納部１０１の第１、第２の各収納部６１、６２が複数組重なって４つ以上の収納部が垂直方向の上下に配列されることになり、多くの物を区分け収納して整理、整頓するのに便利である。また、最上部のものは１つ下の収納部の位置に入れ換えて低くなった分だけ出し入れしやすく、最下部の収納部は１つ上の収納部の位置に入れ換えて高くなった分だけ出し入れしやすくなるので、低い位置から高い位置までの大きな高さ範囲に多数の収納部を設ける場合に有効である。
【００１５】
特に、図１、図２に示す実施例のように、上下入れ換え収納部１０１を上下に２組配列するのに、床１０２から天井１０３までの高さＨ０にほぼ一致する高さになるようにすると、床１０２から天井１０３までの高さＨ０の範囲を利用して４つの収納部６１、６２、６１、６２を上下に配列して設けて区分け収納に便利にしながら、中央高さ範囲Ｈ１に位置する上下２つの収納部６１、６２が、図１に示すように自然に立った人１０４が物を出し入れしやすい高さ範囲に位置するので、各上下入れ換え収納部１０１、１０１での第１、第２の収納部６１、６２の上下入れ換えによって、全ての収納部６１、６２、６１、６２を前記出し入れしやすい高さ範囲に移動させられて、それのいずれにも物を容易に出し入れすることができる。
【００１６】
また、この実施例では、上下の各上下入れ換え収納部１０１、１０１は同一高さＨ２を持つようにして、相互の高さの共通化を図り、しかも、各上下入れ換え収納部１０１、１０１に有した第１、第２の各収納部６１、６２のそれぞれも互いに同一の高さＨ３に設定して相互の高さの共通化を図ってある。これにより、各上下入れ換え収納部１０１、１０１に備える第１、第２の各収納部６１、６２は床１０２から天井１０３までの高さ範囲Ｈ０をほぼ均等に４区画し、物を出し入れしやすい高さ範囲Ｈ１は中央の２区画分となる。具体的には、床から天井までの高さ範囲Ｈ０が図２に示すような標準住居に対応した２４００ｍｍ程度であるとすると、前記中央の２区画分は床１０２から６００ｍｍ程度〜１８００ｍｍ程度の高さまでとなるので、人１０４が物を出し入れするのにより好適となり、しかも、同じ寸法で部品が共通化する分だけコストの低減を図ることができる。
【００１７】
図１、図２に示す実施例では、上下の各上下入れ換え収納部１０１、１０１はそれぞれ個別のキャビネット６３に収容され、積み重ねて使用されるようにしてある。これにより取り扱い単位が１ずつの上下入れ換え収納部１０１と小さくなるので、持ち運びに便利であるし、異なった種類の上下入れ換え収納部１０１を種々に組み合わせて使用することもできる。もっとも、上下の各上下入れ換え収納部１０１、１０１は必要数のものを１つのキャビネットに収容したものとしてもよい。
【００１８】
次に、本実施の形態１が採用している昇降機構６６につき説明する。図３、図４に示すように、昇降機構６６は、第１の収納部６１の支持支点Ｐ1 と第２の収納部６２の支持支点Ｐ2 との間を連結する支持部材６４と、キャビネット６３に取り付けられて前記支持部材６４の回転支点Ｏを水平方向に移動自在に支持する摺動支持部６５と、第１の収納部６１を回動角度にかかわらず一定の水平姿勢に維持する第１の姿勢維持部７１と、第２の収納部６２を回動角度にかかわらず一定の水平姿勢に維持する第２の姿勢維持部７２と、第１、第２収納部６１、６２の昇降時の移動経路を規制するガイド６８とを備え、ガイド６８は第１、第２収納部６１、６２の一方、例えば第２の収納部６２の背部の上下に設けられたガイドローラ７６を受け入れて、奥行き方向の移動を阻止し、垂直方向にだけ動くように案内するようにている。
【００１９】
以上の昇降機構６６は、図２に示すように、左右対称位置に昇降機構６６L 、６６R として配備され、各支持部材６４、６４の各回転支点Ｏ間は連結軸６７で連結され、左右の昇降機構６６L 、６６R が同期して動作するように構成されている。これにより、第１、第２の各収納部６１、６２は左右が一体に支持されてている。収納物による荷重が左右でアンバランスな場合でも傾くようなことがないし、左右の動きに差が生じるようなことが解消される。しかし、これに限られることはなく原理的には左右の一方分だけあってもよく、その機構の設け方は自由である。
【００２０】
図４に示す昇降機構６６L を例にしてさらに説明すると、支持部材６４は、その回転支点Ｏに対応する中間部で連結軸６７によりキャビネット６３の側板内面に回動自在に支持され、各収納部６１、６２の各支持支点Ｐ1 、Ｐ2 に対応する両端部に固定された軸１１１ａ、１１１ｂにより各収納部６１、６２をその側板のほぼ中央部で回動自在に支持している。また、前記連結軸６７の両端部は、その上下に配したローラ６５ａ、６５ｂを摺動支持部６５の上下にコの字状の断面形状に形成された凹部に嵌入させ、摺動支持部６５内を水平方向に円滑に移動できるようにされている。支持部材６４には連結軸６７を介してあるいは直接に固定輪７４ａ、７４ｂが回転支点Ｏのまわりに固定され、これらと、各収納部６１、６２にその支持支点Ｐ1 、Ｐ2 と同心に固定されるとともに、軸１１１ａ、１１１ｂに対し回動できるようにした回動輪７３ａ、７３ｂとの間にそれぞれベルト７５ａ、７５ｂが掛け渡されて、それぞれ第１の姿勢維持部７１、第２の姿勢維持部７２を構成している。
【００２１】
回転支点Ｏは各支持支点Ｐ1 、Ｐ2 の間の中間位置に設けることが望ましく、キャビネット６３内に収容する各収納部６１、６２の容積を最も大きく構成することができる。また、キャビネット６３内に無駄な空間を設けることなく収容して回動させるために、第１の収納部６１の後側上角および下角、第２の収納部６２の前側上角および下角は、図示するように切り欠いて回動時に各収納部６１、６２の角部が干渉しないようにしている。もっとも、各収納部６１、６２の上下入れ換えの昇降経路の設計によってはこのようにする必要はなく、図示は省略するが、切り欠きを省略することにより既述した各収納部６１、６１、６２、６２の完全な共通化が図れる。また、各収納部６１、６１、６２、６２それぞれの前部の上下角、および後部の上下角の全部に切り欠きを設けて上記のような干渉防止機能を発揮しながら、第１、第２各収納部６１、６２それぞれの完全な共通化を図ることもできる。
【００２２】
本実施の形態１の昇降機構６６による各収納部６１、６２の昇降動作について、上部の上下入れ換え収納部１０１を例に図７の（ａ）〜（ｇ）に基づき説明する。
【００２３】
図７の（ａ）に示すようにキャビネット６３に収納された第１の収納部６１と第２の収納部６２との上下位置を入れ換えるときには、ガイドローラ７６を持たない第１の収納部６１を手前に引き出しつつ他方である第２の収納部６２の側、図では下向きに回動させると、第１の収納部６１は支持支点Ｐ1 で支持部材６４を回転支点Ｏを中心として回動されるので、第２の収納部６２も支持支点Ｐ2 で後方に回動しようとするが、支持部材６４の第２の収納部６２側はガイドローラ７６をガイド６８に押しつけて受け止められることにより垂直方向の案内を受けるので、支持部材６４が回動する動作で支持部材６４の回転支点Ｏを摺動支持部６５内で水平方向に移動させ、図４（ｂ）〜（ｄ）に示すように、第２の収納部６２は第１の収納部６１の回動に伴って垂直方向に上昇する。このときの支持部材６４が水平移動される最大点は図７の（ｄ）に示す第１の収納部６１と第２の収納部６２とが水平方向に並び、支持部材６４が水平になった状態のときであり、この位置は設計によって種々に設定できる。回転支点Ｏがキャビネット６３から飛び出すような設計例では摺動支持部６２に回転支点Ｏの水平移動に従って伸縮する図６に示すようなガイドレール９２を用いるなどして対応すると特に問題とはならない。図６に示すガイドレール９２は１本の固定レール９２ａとこれに摺動伸縮できるように組み合わされた１本の可動レール９２ｂとで構成されたものであるが、可動レール９２ｂの組み合わせ数は必要な伸縮長さに応じて種々に設計できる。可動レール９２ｂは例えば、図６に示すように、所定以上の長さと、前後の端部に支持部材６４との外れ止めのためのストッパ９２ｃ、９２ｄとを持てば、固定レール９２ａおよび摺動支持部６４双方との外れ止めが達成される。
【００２４】
図７の（ｄ）に示す状態からさらに第１の収納部６１を回動させると、支持部材６４の作用方向が、ガイドローラ７６をガイド６８から引き離すように変わるので、回転支点Ｏは元の位置に戻る方向に移動し、図７の（ｅ）〜（ｆ）に示すように、第１の収納部６１は回動しつつキャビネット６３内の下方に進入して行くのに連動して、第２の収納部６２は垂直方向にさらに上昇し、図７の（ｇ）に示すように第１の収納部６１が、第２の収納部６１が元配列されていた下方位置に入ったとき、第２の収納部６２は第１の収納部６１が元配列されていた上方位置に上昇して、第１の収納部６１と第２の収納部６２との配列位置が上下入れ換わる。
【００２５】
図７の（ｇ）に示す状態から第１の収納部６１を引出し、上記操作と逆方向に回動させると、第２の収納部６２は垂直方向に下降し、図７の（ｆ）〜（ａ）の逆動作でそれぞれ元の配列位置に復帰させることができる。
【００２６】
このような各収納部６１、６２の上下入れ換え動作において、各収納部６１、６２は支持部材６４によって各支持支点Ｐ1 、Ｐ2 の１軸で回動自在に支持されているので、回動角度によって水平姿勢が傾く恐れがあるが、各支持支点Ｐ1 、Ｐ2 と回転支点Ｏとの間には、それぞれ各姿勢維持部７１、７２が設けられているので、回動角度にかかわらず常に一定の水平姿勢が維持される。具体的には、図７の（ａ）から図７（ｇ）に示す順序で、あるいは逆の順序で支持部材６４が連結軸６７を中心に固定輪７４ａ、７４ｂを伴い回動したとき、支持部材６４による各収納部６１、６２の各支持支点Ｐ1 、Ｐ2 まわりの支持角度が変化するのに併せ、各回動輪７３ａ、７３ｂと各固定輪７４ａ、７４ｂとの間を連結しているベルト７５ａ、７５ｂが、固定輪７４ａ、７４ｂとの間の摩擦により回動輪７３ａ、７３ｂを各支持支点Ｐ1 、Ｐ2 のまわりに、前記支持角度が変化する方向とは逆の方向に同じ角度だけ回転させる働きを営み、結果として各収納部６１、６２は各支持支点Ｐ1 、Ｐ2 のまわりで水平姿勢に保たれて傾くことはなく、水平姿勢が維持された状態で回動および昇降する。この水平姿勢維持は第１、第２の各収納部６１、６２が各支持支点Ｐ1 、Ｐ2 まわりにアンバランスな収納物の荷重により傾こうとするのに対しても強制力を発揮し、傾きを防止する。それには、各回動輪７３ａ、７３ｂおよび各固定輪７４ａ、７４ｂとベルト７５ａ、７５ｂとの間の滑りを防止することが必要であり、タイミングベルトを用いるのが好適である。場合によってはチエンで代替してもよいし、原理的にはベルト連結構造に代えて遊星歯車を用いた連結機構などを採用してよい。
【００２７】
図８の（ａ）に示す実施例はキャビネット６３と床１０２および天井１０３との間に蹴込み部１２１および天井高さ調整フィラー１２２が設けられる場合の１つの実施例を示し、床１０２から天井１０３までの標準高さ範囲Ｈ０から蹴込み部１２１の高さおよびフィラー１２２の高さを除いた実質収納高さ範囲Ｈに、図１、図２に示す実施例のような上下入れ換え収納部１０１を２組上下に配列して設けである。２組の上下入れ換え収納部１０１、１０１どうし、およびそれらに有した第１、第２の収納部６１、６２、６１、６２どうしは互いに同一高さとしてあり、実質収納高さ範囲Ｈを４つの収納部６１、６２、６１、６２がほぼ均等な高さで４つに区画して物を収納する状態となり、図１、図２に示す実施例の配列の場合と同様な作用効果を発揮することができる。なお、上下の各上下入れ換え収納部１０１、１０１が１つのキャビネット６３に収納された例を示している。この実施例において標準高さ範囲Ｈ０を図２に示す実施例と同じ２４００程度とし、蹴込み部１２１の高さを１００ｍｍ程度、フィラー１２２の高さを７５ｍｍ程度と標準設計した場合の具体的数値を示すと、図８の（ｂ）に示すように物を出し入れしやすい中央の２区画分の高さ範囲が、床から６７５ｍｍ程度〜１８２５ｍｍ程度の高さとなり、図１、図２の実施例の場合よりもやや高めになるが、実質的な作用効果に変わりはない。むしろ中央の２区画分の下部高さが少し高くなる分だけ図１、図２に示す場合よりも出し入れしやすくなる。図８の（ｂ）の実施例は上下の各上下入れ換え収納部１０１、１０１が個別のキャビネット６３に収納された例を示している。
【００２８】
図１の仮想線、図９で示す実施例は、上下の各上下入れ換え収納部１０１を１つ、または個別のキャビネット６３に収容するのに、キャビネット６３の開口の、上部の上下入れ換え収納部１０１の上部に位置する例えば第１の収納部６１と、下部の上下入れ換え収納部１０１の下部に位置する例えば第２の収納部６２とに対応する最上部と最下部の各区画範囲に扉１３１を設け、他の物を出し入れしやすい中央区画部高さ範囲は扉を設けない開放部１３２としてある。これにより、物を出し入れしやすい中央区画部高さ範囲を扉１３１のない開放部１３２としてこの高さ範囲で、物の出し入れがなされるよう使用者を誘導し、また、この高さ範囲を使用頻度の高い物を収納する収納部のホームポジションにしておいたり、出し入れせずに使用する電気炊飯器やコーヒーメーカー、あるいは電動注出式のミネラル水生成器と言った電気機器などの収納部として使用に便利である。また、使用頻度の低い収納部となる最上部と最下部の各区画範囲は扉１３１で常時覆うことによって、収納部の全体が露出して外観が見苦しくなるようなことを回避することができる。この意味で雑然とした収納状態となる小物の収納部などに利用しても有効である。図示した扉１３１は左右に開くいわゆる観音開き方式のものとしたが、キャビネット６３の幅寸法によっては左右の一方に開く片開き方式のものでよいし、場合によっては上方、あるいは下方に開くものであってもよい。
【００２９】
図１０に示す実施例は、上下の各上下入れ換え収納部１０１を収納したキャビネット６３の全開口に扉１３１を設けたもので、キャビネット６３が１つか個別かの別なく、収納部の全範囲を扉１３１で覆えるので、収納状態が外観されない利点がある。第１、第２の各収納部６１、６２の上下入れ換え操作が１つずつの上下入れ換え収納部１０１について個別に行われることに対応して、扉１３１は上下入れ換え収納部１０１の１つずつに対応して設けてあり、扉１３１を１つ開けばそれに対応する上下入れ換え収納部１０１の第１、第２の各収納部６１、６２を上下入れ換えられるので便利である。しかし、これに限られることはなく、扉１３１を１つにしたり、あるいは４つの収納部６１、６２、６１、６２に個別に対応した４つのものにして設けることもできる。
【００３０】
図１１に示す実施例は、高さの異なる２つのキャビネット６３Ａ、６３Ｂに各上下入れ換え収納部１０１、１０１を個別に収納して上下に組み合わせた場合を示してある。例えば１２００ｍｍ程度の高さにした高い側のキャビネット６３Ｂは下に、１１５０ｍｍ程度の高さにした低い側のキャビネット６３Ａは上に設置し、高さの高いキャビネット６３Ｂの上部には高さ範囲が床１０２から５００ｍｍ程度〜１２００ｍｍ程度となる高さの小さな上下入れ換え収納部１０１を収容し、下部を固定収納部１４１にしてある。高さの低いキャビネット６３Ａの全域には高さ範囲が床１０２から１２００ｍｍ程度〜２３５０ｍｍ程度となる、キャビネット６３Ａの高さに対応した大きな高さの上下入れ換え収納部１０１を収容している。これにより、実施の形態１と同じような作用効果を発揮しながら、固定収納部１４１により収納区画数を簡易に増大する。また、固定収納部１４１にて移動には向かない重く壊れやすいものを収納すると言ったように、収納の態様の多様化を実現する。
【００３１】
図１２に示す実施例は、図１１に示す実施例のものに図１の仮想線や、図９に示す実施例と同様な考えの扉１３１を設けてある。もっとも、キャビネット６３Ｂに設ける扉１３１は、上下入れ換え収納部１０１に備える第１、第２の各収納部６１、６２の下部となるものを覆う扉１３１と、固定収納部１４１を覆う扉１３１とを個別に設け、それら各収納部が異時に使用されることに対応している。
【００３２】
（実施の形態２）
本実施の形態２は図１３に示すように、第１、第２収納部６１、６２を昇降できるように支持する支持部材６４と、キャビネット６３との間をリンク１５１により連結して、第１、第２収納部６１、６２の昇降時の移動経路を規制するようにしてあり、支持部材６４が第１の収納部６１を回動させるときの、支持部材６４の図１３の（ａ）〜（ｄ）に示す間の角度変化での、キャビネット６３との間のリンク１５１の突っ張り作用と、図１３の（ｄ）〜（ｇ）に示す間の角度変化での、キャビネット６３との間のリンク１５１の引っ張り作用とによって、第１、第２収納部６１、６２が図１３の（ａ）〜（ｇ）に示すように、実施の形態１の場合と同じ昇降状態で互いの上下が入れ換えられる。他の構成および奏する作用効果は実施の形態１の場合と特に変わるところはないので、同じ部材には同じ符号を付し、重複する図示および説明は省略する。
【００３３】
本発明は、第１、第２収納部６１、６２がどのような経路および動きで上下が入れ換えられる場合にも適用でき、以下に代表的な他の実施の形態についてさらに説明する。
【００３４】
（実施の形態３）
本実施の形態３は図１４に示すように、キャビネット６３の背部壁面６３ｂを第１、第２収納部６１、６２の昇降経路規制手段として利用し、実施の形態１のガイド６８を省略した構成を示すもので、第１の収納部６１の背部にコロ７６が取り付けられ、第２の収納部６２を、支持部材６４の回転支点Ｏの摺動支持部６５上での水平移動と、支持部材６４による回転支点Ｏまわりの回動とを伴う支持に従って、図７の（ａ）〜（ｇ）の順に、あるいはその逆に回動させるとき、第１の収納部６１がキャビネット６３の背部壁面６３ｂに絶えず押しつけられる働きで、コロ７６が前記壁面６３ｂを走行しながら摩擦抵抗なしに垂直方向に昇降され、第１、第２の収納部６１、６２の上下が入れ換えられる。もっともコロ７６は第２の収納部６２の背部壁面６３ｂに沿った昇降の摩擦を軽減するもので必須ではない。
【００３５】
他の構成および奏する作用効果は実施の形態１の場合と特に変わるところはないので、共通する部材には同一の符号を付し、重複する図示および説明は省略する。
【００３６】
（実施の形態４）
本実施の形態４は図１５に示すように、支持部材６４の回転支点Ｏを設定した所定位置に自動的に復帰させる回転支点復帰手段を設けて上下入れ換えのための昇降機構を構成して、実施の形態３におけるような上下入れ換えの昇降動作が、両面ハッチ式のキャビネット６３の正面および背面の双方に設けた扉１３１ａ、１３１ｂの一方をガイド壁にして達成されるようにしてある。キャビネット６３の前後面に至る延長幅分の長さを持った摺動支持部６５に支持部材６４の回転支点Ｏを支持し、この回転支点Ｏの両側にバネ９１、９１を働かせて、支持部材６９の回転支点Ｏが設定した所定位置、本実施の形態４では中央位置に位置するように両側から付勢している。人力により各収納部６１、６２を回動させたときには、回動方向によりバネ９１、９１の付勢力に抗して回転支点Ｏが摺動支持部９０上を移動し、各収納部６１、６２の上下入れ換えができる。この回動による上下入れ換えが所定位置に達する以前に人力による加圧を解除しても、バネ９１、９１の付勢により回転支点Ｏは所定位置に自動的に復帰する。前記所定位置は各収納部６１、６２が上下位置に配列される位置であるが、任意位置に設定することもできる。
【００３７】
（参考例１）本参考例１は図１６に示すように、実施の形態１、２における摺動支持部６５と、第１、第２収納部６１、６２の昇降時の移動経路を規制するガイド６８やリンク１５１を省略したり、第１、第２の各収納部６１、６２のいずれかを固定の回転子点Ｏを中心に回動させると、支持部材６４はその回転支点Ｏのまわりに回動し、そのときの各支持点Ｐ１、Ｐ２に対応する軸１１１ａ、１１１ｂの旋回軌道に従って、第１、第２収納部６１、６２を図１６の（ａ）〜（ｇ）に示すように昇降させ、支持部材６４が水平になる時点で第１、第２の各収納部６１、６２は図１６の（ａ）（ｇ）で示す位置で全体がキャビネット６３内に収納された状態となる。従って、本参考例１はキャビネット６３の正面および背面が開放され、あるいは開放できる両面ハッチ方式の収納装置に好適である。
【００３８】
さらに、上記各実施の形態１〜４、参考例１において、各構成における連結軸６７等にロータリーダンパ等の釣り合い手段を連結することにより、各収納部６１、６２に収納した物の重量差により昇降操作が困難になる状態は、重量の大きい側が下降方向になったときの急激な下降を抑制し、安定した昇降動作を行わせることができる。また、連結軸６７にモータを連結して昇降動作の補助動力とする他、電動により昇降動作を行なわせることもできる。
【００３９】
（参考例２）本参考例２は図１７、図１８に示すように、第１の収納部６１は、その相対向する両面で一対の水平支持部材４４によって支持され、この水平支持部材４４はキャビネット６３の相対向する両内側面に上下方向に固定された昇降ガイド４５に昇降移動自在に支持されている。一方、第２の収納部６２は、その背面に摺動板４６が取り付けられており、この摺動板４６はキャビネット６３の背部内面に上下方向に固定されたスライドレール４７に昇降移動自在に支持されている。また、前記水平支持部材４４と第２の収納部６２の相対向する両面の上端部とは昇降ワイヤ４８によって連結され、この昇降ワイヤ４８はキャビネット６３の天面に取り付けられた第１の滑車４９及び第２の滑車５０に掛け渡して双方を吊り下げるように支持している。
【００４０】
この昇降機構６６は、図１８に示すように、左右一対に設けられ、左右位置の前記第１の滑車４９、４９は連結軸６７により連結されて同期回転するので、左右一対の昇降機構は同期して昇降動作する。この連結軸６７は、キャビネット６３の第１の収納部６１が引き出される方向の反対側の上方隅角部に配設するようにすると、第１の収納部６１および第２の収納部６２をキャビネット６３内の空間いっぱいに格納されるように構成しても、各収納部６１、６２の後方上角部を切り欠くだけで無駄な空間が形成されることがない。
【００４１】
第１の収納部６１を支持する水平支持部材４４は、昇降ガイド４５に支持された図１９に示したような昇降部４４ａ内に２本の第１の伸縮アーム４４ｂ、第２の伸縮アーム４４ｃが収容されており、第２の伸縮アーム４４ｃが第１の収納部４１の側面に固定されているので、第１の収納部４１に水平方向に引き出す力を加えると、第１の伸縮アーム４４ｂが昇降部４４ａから、第２の伸縮アーム４４ｃが第１の伸縮アーム４４ｂから引き出されて、第１の収納部４１は図１７の（ａ）に示す状態から（ｂ）に示すように、キャビネット４３の外に引き出される。この操作により第１の収納部６１と第２の収納部６２との昇降経路が前後に別れるので、双方を同時に昇降させ得る状態となる。
【００４２】
図１７の（ｂ）に示す状態から第１の収納部６１を下降させる方向に引き下ろすと、水平支持部材４４は昇降ガイド４５上を摺動して下降する。水平支持部材４４には昇降ワイヤ４８が接続されているので、第１の収納部６１の下降動作に伴って昇降ワイヤ４８が第２の滑車５０、第１の滑車４９を介して第２の収納部６２を引き上げる。第２の収納部６２は昇降ワイヤ４８による引き上げ力が加えられると、摺動板４６がスライドレール４７上を摺動されて上昇する。つまり、第１の収納部６１と第２の収納部６２とは互いに逆方向に昇降することになる。
【００４３】
水平支持部材４４が昇降ガイド４５の最下部に達する位置まで第１の収納部６１を下降させたときには、図１７の（ｃ）に示すように、摺動板４６もスライドレール４７の最上部に達して第２の収納部６２は上部位置に上昇する。次いで、下降させた第１の収納部６１をキャビネット６３内に押し入れるようにすると、水平支持部材４４は第１、第２の伸縮アーム４４ｂ、４４ｃが昇降部４４ａに入って収縮するので、図１７の（ｄ）に示すように、第１の収納部６１は水平移動して下方配列位置に移動する。
【００４４】
上記操作手順により第１の収納部６１と第２の収納部６２との配列位置は上下入れ換えられる。この操作手順の逆動作を行えば、配列位置は図１７の（ａ）に示す状態に戻すことができる。
【００４５】
このような昇降動作は、第１の収納部６１を下降または上昇させる操作によって第２の収納部６２を上昇または下降させ、第１の収納部６１と第２の収納部６２との釣り合いによってなされるので、第１の収納部６１を下降させるときには第２の収納部６２を上昇させる負荷が与えられるため、重量を伴った急激な下降が抑えられ、一方、上昇させるときには第２の収納部６２が下降する重量が加わるので楽に上昇させることができる。しかしながら、第１の収納部６１と第２の収納部６２とのそれぞれに収納した物品の重量に大きな差が生じたときには、相互の重量バランスが崩れるため下降または上昇が円滑になされない場合が生じる。このような場合に備えて、両側の昇降機構に共通する連結軸６７にロータリーダンパ等の緩衝機能を付加することが有効な手段となる。
【００４６】
なお、上記各実施の形態、参考例１、２ではいずれも、上下入れ換え収納部１０１をキャビネット６３に収納して設置した場合のみ示したが、これに限られることはなく、壁面に形成した凹部内や、相対向する壁面間、あるいは壁面とこれに対向して設置した支持板との間など、種々な構造で設置する場合にも本発明は同様に適用される。
【００４７】
【発明の効果】
本発明の昇降収納装置の１つの特徴によれば、４つ以上の収納部が垂直方向の上下に配列されて、２つどうしが上下入れ替え収納部をなしてそれらの間の回転支点まわりにの同期回動と回転支点の水平移動とを伴い互いに連動して上下が入れ替わるので、多くの物を区分け収納して整理、整頓するのに便利であり、しかも、最上部のものは１つ下の収納部の位置に入れ換えて低くなった分だけ出し入れしやすくなり、最下部の収納部は１つ上の収納部の位置に入れ換えて高くなった分だけ出し入れしやすくなるので、低い位置から高い位置までの大きな高さ範囲に多数の収納部を設ける場合に有効である。
【００４８】
また、上下入れ換え収納部を垂直方向の上下に２組配列して、床から天井までの高さにほぼ一致する高さにすることにより、床から天井までの高さ範囲を４つの収納部にて区分け収納に便利にしながら、中央高さ範囲に位置する上下２つの収納部が、自然に立った人が物を出し入れしやすい高さ範囲に位置することで、各上下入れ換え収納部での第１、第２の収納部の上下入れ換えによって、全ての収納部を前記出し入れしやすい高さ範囲に移動させられ、いずれにも物を容易に出し入れすることができる。
【図面の簡単な説明】
【図１】本発明の実施形態１に係る昇降収納装置の概略構成を示す断面図。
【図２】図１の昇降収納装置の正面図。
【図３】昇降機構の構成を示す断面図。
【図４】図３の昇降機構の正面図。
【図５】図３、図４の昇降機構の昇降経路規制手段の垂直方向のガイドを示す横断面図。
【図６】図１の昇降装置の摺動支持部の別の実施例を示し、その（ａ）は側面図、その（ｂ）は正面図。
【図７】図１の昇降収納装置における上下入れ換え収納部での第１、第２の各収納部の上下入れ換え操作の手順を（ａ）から（ｇ）まで順を追って示す説明図。
【図８】実施の形態１の蹴込み部および天井高さ調整フィラーを配慮した場合の実施例を示し、その（ａ）は実質収容高さを４区画した場合の原理図、その（ｂ）は寸法の設定例を示す説明図。
【図９】キャビネットに部分的な扉を設けた実施例を示す斜視図。
【図１０】キャビネットの全体に扉を設けた実施例を示す斜視図。
【図１１】上下入れ換え収納部を異なるようんき収容したキャビネットを上下に組み合わせた場合の実施例を示す正面図。
【図１２】図１１の実施例のキャビネットに部分的な扉を設けた場合のさらに別の実施例を示す正面図。
【図１３】本発明の実施の形態２に係る昇降収納装置における、上下入れ換え収納部での第１、第２の各収納部の上下入れ換え操作の手順を（ａ）から（ｇ）まで順を追って示す説明図。
【図１４】本発明の実施の形態３に係る昇降収納装置の上部の上下入れ換え収納部を示す断面図。
【図１５】本発明の実施の形態４に係る昇降収納装置の上部の上下入れ換え収納部を示す断面図。
【図１６】本発明の参考例１に係る昇降収納装置における、上下入れ換え収納部での第１、第２の各収納部の上下入れ換え操作の手順を（ａ）から（ｇ）まで順を追って示す説明図。
【図１７】本発明の参考例２に係る昇降収納装置における、上下入れ換え収納部での第１、第２の各収納部の上下入れ換え操作の手順を（ａ）から（ｄ）まで順を追って示す説明図。
【図１８】図１７の昇降収納装置の正面図。
【図１９】図１７の昇降収納装置の水平支持部材を示し、その（ａ）は収縮状態、その（ｂ）は伸長状態である。
【符号の説明】
６１ 第１の収納部
６２ 第２の収納部
６３、６３Ａ、６３Ｂ キャビネット
６６ 昇降機構
１０１ 上下入れ換え収納部
１０２ 床
１０３ 天井
１３１ 扉
１３２ 開放部
【図１】
0003761699.tif 000002
【図２】
0003761699.tif 000003
【図３】
0003761699.tif 000004
【図４】
0003761699.tif 000005
【図５】
0003761699.tif 000006
【図６】
0003761699.tif 000007
【図７】
0003761699.tif 000008
【図８】
0003761699.tif 000009
【図９】
0003761699.tif 000010
【図１０】
0003761699.tif 000011
【図１１】
0003761699.tif 000012
【図１２】
0003761699.tif 000013
【図１３】
0003761699.tif 000014
【図１４】
0003761699.tif 000015
【図１５】
0003761699.tif 000016
【図１６】
0003761699.tif 000017
【図１７】
0003761699.tif 000018
【図１８】
0003761699.tif 000019
【図１９】
0003761699.tif 000020